(57)【要約】【課題】玩具用エアガンの発射用銃身に装填する所定の弾丸径よりも小径の弾丸をパワーアップした状態で発射させることができないようにして、玩具用エアガンの安全を確保するようにしたエアガンの発射用銃身を提供する。【解決手段】玩具用エアガン１の所定内径を有する発射用銃身２に、該銃身２の途中にて銃身２の軸芯に偏心を生じさせる曲げ３が形成され、該銃身２の銃口４から該銃身２の内径よりも小径の銃身管５を挿入したとき、該銃身管５が前記曲げ３をなす銃身２の途中にて前記曲げ３を有する内周壁に当接することによって挿入が阻止されるようにした。【選択図】図２
2008039371.tif 000002
【特許請求の範囲】
【請求項１】
玩具用エアガンの所定内径を有する発射用銃身に、該銃身の途中にて銃身の軸芯に偏心を生じさせる曲げが形成され、該銃身の銃口から該銃身の内径よりも小径の他の銃身管を挿入したとき、該銃身管が前記曲げをなす銃身の途中にて前記曲げを有する内周壁に当接することによって前記銃身管の挿入が阻止されるようにしたことを特徴とするエアガンの発射用銃身。
【請求項２】
前記発射用銃身は、該銃身の途中にてエアガンのチャンバー側から銃口側に向けて下方向へ湾曲する曲げが形成されると共に、前記チャンバー側の曲げから前記銃口側に向けて前記チャンバー側の曲げを直状な銃身に修正する湾曲状の曲げが形成されたことにより、前記銃身の内部を通過する弾丸に発射後のホップアップを生じさせるバックスピンが発生するようにしたことを特徴とする請求項１記載のエアガンの発射用銃身。
【請求項３】
前記発射用銃身の曲げを形成した箇所にスリットを形成し、前記銃身の銃口から該銃身の内径よりも小径の他の銃身管を挿入したとき、該銃身管の先端が前記スリットに当接することによって前記銃身管の挿入が阻止されるようにしたことを特徴とする請求項１又は２記載のエアガンの発射用銃身。
【請求項４】
前記発射用銃身における前記曲げを形成した箇所と前記チャンバーとの間の周壁に空気抜き穴を形成したことを特徴とする請求項１、２又は３記載のエアガンの発射用銃身。
【請求項５】
玩具用エアガンの所定内径を有する発射用銃身のチャンバー近傍の内周壁に、該銃身の内径よりも小径の他の銃身管を保持する複数の突起を形成し、該複数の突起を有する銃身に前記銃身管を収納したとき、該銃身管の外周に前記突起によってエアー漏れが生じることにより弾丸の発射威力を減退させるようにしたことを特徴とするエアガンの発射用銃身。
【請求項６】
玩具用エアガンの所定内径を有する発射用銃身に、該銃身の途中にて銃身の軸芯に偏心を生じさせる第１の曲げが形成され、さらにこの銃身に前記銃身の曲げを元の軸芯に復帰させる第２の曲げが形成されたことにより、該銃身の銃口から該銃身の内径よりも小径の他の銃身管を挿入したとき、該銃身管が前記曲げを有する銃身の途中の内周壁に当接することによって挿入が阻止されるようにしたことを特徴とするエアガンの発射用銃身。
【請求項７】
前記発射用銃身におけるチャンバー側の曲げを形成した箇所にスリットを形成し、前記銃身の銃口から該銃身の内径よりも小径の他の銃身管を挿入したとき、該銃身管の先端が前記スリットに当接することによって挿入が阻止されるようにしたことを特徴とする請求項６記載のエアガンの発射用銃身。
【請求項８】
前記発射用銃身におけるチャンバー側の曲げを形成した箇所と前記チャンバーとの間の周壁に空気抜き穴を形成したことを特徴とする請求項６又は７記載のエアガンの発射用銃身。
【発明の詳細な説明】
【技術分野】
【０００１】
本発明は、玩具用エアガンの発射用銃身（インナーバレル）に装填する所定の弾丸径よりも小径の弾丸をパワーアップした状態で発射させることができないようにしたエアガンの発射用銃身に関する。
【背景技術】
【０００２】
従来、玩具用エアガンにおいては、所定内径の銃身に所定径の弾丸を装填することが行われているが、規定の弾丸径よりも小径の弾丸を装填した場合、弾丸の発射パワーが増して、安全性を確保できないことになる。従って、玩具用エアガンのパワー制限に関しては所定の規制が布かれている。
【０００３】
ところが、図８に示すように、所定内径の銃身２０の内部に、他の小径の銃身用の管（これを「銃身管」と称する）２１を差し込むという簡単な改造によって、規定の弾丸よりも小径の弾丸を使用して発射パワーを増し、飛距離を延ばすという不正行為がなされるおそれがある。なお、このように銃身の内径を改造した場合、それに適する弾丸が入手できないことが考えられるが、プラスチック製の球形品は、玩具用弾丸だけではなく、種々の外径を有するベアリング用のプラスチック球体等があり、このような工業用の製品は容易に入手することが可能である。
【０００４】
従って、所定内径の銃身に、その内径よりも小径の銃身管を差し込むという簡単な改造によって、弾丸の発射威力をアップすることが可能になるため、このような違法な改造を防止すると共に、使用上の安全を確保することが必要となる。
【０００５】
ところで、下記の特許文献１に記載されている「エアーガン」の構造は、モーターを用いて内部銃身、弾丸室、弾丸保持具及び球形弾丸が回転する装置が設けられ、球形弾丸が進行方向を軸とする向きに恒常的な同転をしながら発射されるようにしたものであり、このような構造によって、弾道を安定させる結果、命中精度を向上させることが可能とされている。
【０００６】
さらに、銃身の改良に係る従来技術としては、特許文献２、３に記載されたものが存在する。特許文献２に記載された「玩具銃の銃身構造」は、銃身内周と発射する弾丸外周との間にはわずかな間隙を設け、弾丸を推進させる圧縮気体のうち、間隙を通過する気体を螺旋旋回させる複数の螺旋溝を銃身内周に設けたことを特徴とするものである。これによって、玩具銃においてエアー圧乃至は推進力を上げずに弾丸の直進性を良くし、長距離における着弾点の精度を向上させることが可能とされている。
【０００７】
また、特許文献３に記載された「玩具銃の銃身・延長装置」は、玩具銃の銃身に延長用銃身を螺着させたものであり、延長用銃身のスリーブ区間と玩具銃側の銃腔管の先端部分とが同軸状に嵌合連結され、銃腔管の内周面と延長用銃身の貫通孔の内周面が連続的に構成された構成により、玩具銃の銃身に対して簡単に着脱できる延長用銃身を用いて銃腔管の長さを実質的に伸ばすようにし、これによって弾丸の飛距離を大幅に伸ばすようにしたものである。
【０００８】
しかしながら、上記の特許文献２、３においても、所定内径の銃身の内部に小径の銃身管を差し込むという改造を防止する技術が開示されているものではない。
【特許文献１】特開２０００−２１３８９２号公報
【特許文献２】実公平７−３１９２号公報
【特許文献３】特開２００３−３０２１９５号公報
【発明の開示】
【発明が解決しようとする課題】
【０００９】
本発明は、上記の事情に鑑みてなされたもので、所定内径の銃身の内部に小径の銃身管を差し込むという改造を防止することにより、玩具用エアガンの発射用銃身に装填する所定の弾丸径よりも小径の弾丸をパワーアップした状態で発射させることができないようにして、玩具用エアガンの安全を確保するようにしたエアガンの発射用銃身を提供することを目的とする。
【課題を解決するための手段】
【００１０】
上記の問題を解決するために、本発明における請求項１のエアガンの発射用銃身は、玩具用エアガンの所定内径を有する発射用銃身に、該銃身の途中にて銃身の軸芯に偏心を生じさせる曲げが形成され、該銃身の銃口から該銃身の内径よりも小径の他の銃身を挿入したとき、該他の銃身が前記曲げをなす銃身の途中にて前記曲げを有する内周壁に当接することによって前記他の銃身の挿入が阻止されるようにしたことを特徴とする。
【００１１】
また、本発明の請求項２のエアガンの発射用銃身は、請求項１において、前記発射用銃身は、該銃身の途中にてエアガンのチャンバー側から銃口側に向けて下方向へ湾曲する曲げが形成されると共に、前記チャンバー側の曲げから前記銃口側に向けて前記チャンバー側の曲げを直状な銃身に修正する湾曲状の曲げが形成されたことにより、前記銃身の内部を通過する弾丸に発射後のホップアップを生じさせるバックスピンが発生するようにしたことを特徴とする。
【００１２】
また、本発明の請求項３のエアガンの発射用銃身は、請求項１又は２において、前記発射用銃身の曲げを形成した箇所にスリットを形成し、前記銃身の銃口から該銃身の内径よりも小径の他の銃身管を挿入したとき、該銃身管の先端が前記スリットに当接することによって前記銃身管の挿入が阻止されるようにしたことを特徴とする。
【００１３】
また、本発明の請求項４のエアガンの発射用銃身は、請求項１、２又は３において、前記発射用銃身における前記曲げを形成した箇所と前記チャンバーとの間の周壁に空気抜き穴を形成したことを特徴とする。  
【００１４】
また、本発明の請求項５のエアガンの発射用銃身は、玩具用エアガンの所定内径を有する発射用銃身のチャンバー近傍の内周壁に、該銃身の内径よりも小径の他の銃身管を保持する複数の突起を形成し、該複数の突起を有する銃身に前記銃身管を収納したとき、該銃身管の外周に前記突起によってエアー漏れが生じることにより弾丸の発射威力を減退させるようにしたことを特徴とする。
【００１５】
また、本発明の請求項６のエアガンの発射用銃身は、玩具用エアガンの所定内径を有する発射用銃身に、該銃身の途中にて銃身の軸芯に偏心を生じさせる第１の曲げが形成され、さらにこの銃身に前記銃身の曲げを元の軸芯に復帰させる第２の曲げが形成されたことにより、該銃身の銃口から該銃身の内径よりも小径の他の銃身管を挿入したとき、該銃身管が前記曲げを有する銃身の途中の内周壁に当接することによって挿入が阻止されるようにしたことを特徴とする。
【００１６】
また、本発明の請求項７のエアガンの発射用銃身は、請求項６において、前記発射用銃身におけるチャンバー側の曲げを形成した箇所にスリットを形成し、前記銃身の銃口から該銃身の内径よりも小径の他の銃身管を挿入したとき、該銃身管の先端が前記スリットに当接することによって挿入が阻止されるようにしたことを特徴とする。
【００１７】
さらに、本発明の請求項８のエアガンの発射用銃身は、請求項６又は７において、前記発射用銃身におけるチャンバー側の曲げを形成した箇所と前記チャンバーとの間の周壁に空気抜き穴を形成したことを特徴とする。
【発明の効果】
【００１８】
本発明によれば、上記のように、玩具用エアガンの発射用銃身の途中に曲げが形成されているため、該銃身の銃口から小径の他の銃身管を挿入したとき、該他の銃身管が曲げをなす内周壁に当接することによって、その挿入が阻止されるものであり、従って改造が不可能となり、規定通り、玩具用エアガンの安全を確保することができる。
【００１９】
また、本発明において、銃身の途中にてエアガンのチャンバー側から銃口側に向けて下方向へ湾曲する曲げが形成されると共に、チャンバー側の曲げから銃口側に向けて前記チャンバー側の曲げを直状な銃身に修正する湾曲状の曲げが形成されたことにより、銃身の内部を通過する弾丸に発射後のホップアップを生じさせるバックスピンが発生し、飛距離を延ばすことや、命中精度を上げることに有益となる。
【００２０】
また、本発明において、発射用銃身の曲げを形成した箇所にスリットを形成することにより、銃身の銃口から挿入した他の銃身管の先端がスリットに当接して、それ挿入を阻止するという機能を果たすことができる。
【００２１】
また、本発明において、発射用銃身における曲げを形成した箇所とチャンバーとの間の周壁に空気抜き穴を形成したことにより、特に銃口側から装填した弾丸によって銃身が塞がれているとき、チャンバー側から噴出された圧縮エアーの大部分が空気抜き穴から外方へ放出される結果、弾丸の威力が大幅に減退するという、安全面での効果を有する。
【００２２】
また、本発明において、エアガンの所定内径を有する発射用銃身のチャンバー近傍の内周壁に、該銃身の内径よりも小径の他の銃身管を保持する複数の突起を形成し、該複数の突起を有する銃身に他の銃身管を収納したとき、その銃身に挿入した他の銃身との間にクリアランスが生じ、このクリアランスからエアー漏れが生じ、弾丸の発射威力を減退させるため、そのような改造には実効性がなくなる。
【００２３】
さらに、本発明において、発射用銃身の途中にて銃身の軸芯に偏心を生じさせる第１の曲げが形成され、さらにこの銃身に銃身の曲げを元の軸芯に復帰させる第２の曲げが形成された構成にすると、チャンバー側の銃身の軸芯と銃口側の銃身の軸芯とが一致し、本来の銃口の位置をそのままの状態で使用することが可能となる。また、このような構成においても、上記のように、銃身の銃口から挿入した他の小径の銃身管を銃身の途中の曲げを有する内周壁で当接させることによって、それ以上の挿入を阻止することも可能である。
【発明を実施するための最良の形態】
【００２４】
以下、本発明の実施例について図面を参照しながら説明する。
【実施例１】
【００２５】
本発明による実施例１は、図１又は図２に示すように、玩具用エアガン１の所定内径を有する発射用銃身２に、該銃身２の途中にて銃身２の軸芯に偏心を生じさせる曲げ３が形成され、該銃身２の銃口４から該銃身２の内径よりも小径の他の銃身管５（図２（ａ）参照）を挿入したとき、該銃身管５が曲げ３を有する銃身２の途中にて曲げ３をなす内周壁に当接（当接部６）することによって挿入が阻止されるものである。
【００２６】
なお、本発明において、「発射用銃身」と云う場合、図１に示すように、銃身構造を内部の銃身２と、その外装となる外部の銃身１０に分けた構成において、内部の銃身２をいうものであり、より具体的には、チャンバー７からの弾丸Ｂが通過して発射される管形状の部分をいう。
【００２７】
このような構成について、より具体的に述べると、図１(ａ)又は図２（ａ）に示すように、上記の発射用銃身２は、該銃身２の途中にてエアガン１のチャンバー７側（図２（ａ）の左側）から銃口側（図２（ａ）の右側）に向けて下方向へ湾曲する曲げ（この曲げをチャンバー７側の曲げ３ａとする）が形成されると共に、チャンバー７側の曲げ３ａから銃身２の銃口４側に所定間隔（長さＬ１）をあけてチャンバー７側の曲げ３ａを元の直状な銃身２に修正する湾曲形状の曲げ（この曲げを銃口４側の曲げ３ｂとする）が形成されたことにより、銃身２の内部を通過する弾丸Ｂに発射後のホップアップを生じさせるバックスピンが発生するようにしたものである。
【００２８】
さらに、上記の構成について説明する。図１は、本実施例が適用された玩具用エアガン１の発射用銃身２とその周辺を断面で示したものである。同図に示すように、本実施例が適用された玩具用エアガン１は、発射前の弾丸Ｂが装填されるチャンバー７と、該チャンバー７に連結された発射用銃身２と、該発射用銃身２の先端に連結された銃口４と、該発射用銃身２の外装となる外部の銃身１０とを備えている。
【００２９】
上記の発射用銃身２としては金属製丸管が使用され、その途中に曲げが形成されている。即ち、本実施例においては、図１(ｂ)に示すように、発射用銃身２の先端近傍の途中に３ｃｍの長さＬ１を有して曲げ３を形成し、この曲げ部分から銃口４側に３ｃｍの直状部分Ｌ２をとって銃口４に到る形状とされている。
【００３０】
この曲げ部分（曲げ３）の構成をより具体的に説明すると、図１（ａ）、(ｂ)又は図２(ａ)に示すように、チャンバー７側から銃口４側に向けて下方向に形成されたチャンバー７側の曲げ３ａと、このチャンバー７側の曲げ３ａを元の直状な銃身２に修正する銃口４側の曲げ３ｂを３ｃｍの曲げ部分の長さＬ１の範囲において滑らかに湾曲をなす形状で変形させたものである。なお、上記のように銃身２に曲げを生じさせる変形方法としては、ベンダー（曲げ加工機）を用い、熱処理、その他の方法で加工することが可能である。
【００３１】
その曲げ変形の大きさは、図２(ａ)に示すように、チャンバー７側の直状をなす銃身２の軸芯Ｃ１と、銃口４側の直状をなす銃身２の軸芯Ｃ２とが、３ｃｍの長さＬ１の範囲で、０.１ｍｍの偏心Ｄを生じさせるほどの微小な変形である。
【００３２】
このように銃身２を変形することによって、図２(ａ)に示すように、所定内径の銃身２の銃口４から該銃身２の内径よりも小径の他の銃身管５を挿入したとき、該銃身管５が銃身２の途中にて曲げ３を有する内周壁に当接（当接部６）することにより挿入が阻止される。
【００３３】
また、図２(ｂ)に示すように、上記の銃身２の曲げ部分（曲げ３）において、その変形は下方向に湾曲した形状とされているため、チャンバー７から発射された弾丸Ｂは、曲げ部分（曲げ３）に進入した後、弾丸Ｂの上部が曲げ３を有する内壁に接触（接触部１１）する結果、弾丸Ｂの前進方向に対して図示の矢印方向で示すバックスピンが生じ、その回転状態で銃口４（図１（ａ）参照）から飛び出すと、弾丸Ｂをホップアップさせることによって上向きの揚力が発生し、飛距離を延ばすことや、命中精度を上げることに有益となる。なお、銃身２を横方向或いは上方向に曲げることも可能であるが、その場合は、飛距離を向上するために有効なバックスピンが生じないため、無意味な加工となる。
【００３４】
上記の実施例は、所定内径の銃身２にその内径よりも小径の銃身管５を挿入する場合の防止手段について述べてあるが、例えば銃身２が大径であるというように、それ以外の内径を有する銃身２の場合にも同様に適用可能である。ただし、所定の内径を有する銃身２の銃口からその内径よりも大幅に小径の銃身管５を挿入した場合、両者間に生じるクリアランスからエアー漏れが発生して弾丸の発射威力を減退させるため、そのような改造には実効性がない。また、本実施例においては、銃身２の途中に曲げ３を形成してあるが、この曲げ３は、銃身２の先端等の一箇所、又は銃身２の複数個所に設けてもよい。
【実施例２】
【００３５】
この実施例のエアガンの発射用銃身は、実施例１の発射用銃身をさらに改良したものであり、図３（ａ）又は(ｂ)に示すように、銃身２の途中には実施例１と同様の曲げ３が形成され、さらに曲げ３を形成した箇所にスリット１２ａ、１２ｂを形成したものである。このスリット１２ａ、１２ｂは、本実施例においては離間した２箇所に形成されているが、これに限定される必要はなく、離間した位置に１箇所又は２箇所以上のスリット１２ａ、１２ｂを形成してもよい。また、スリット１２ａ、１２ｂはいずれも同様の形状に形成され、そのうちの一つを図示すると、図３(ｃ)に示すように、銃身２の下部に所定深さの切り込みを入れることによって形成する。
【００３６】
このような構成により、図３（ａ）に示すように、所定内径の銃身２の銃口からその内径よりも小径の他の銃身管５を挿入する場合、この銃身管５の先端が銃口側（図示の左側）のスリット１２ａに当接して、それ以上の挿入が阻止されることとなる。また、曲げ３の曲率が小さい場合、銃身管５の先端が銃口側のスリット１２ａに当接されず、それを乗り越してチャンバー側（図示の右側）へと進入しても、銃身管５の先端がチャンバー側のスリット１２ｂに当接されて、それ以上の挿入が阻止される。
【００３７】
また、銃身管５の管材料の肉厚を薄く形成することによって、図３(ｂ)に示すように、銃身２の銃口側から挿入された銃身管５の先端が銃口側のスリット１２ａに当接せずに乗り越して挿入された場合でも、この銃身管５の先端がチャンバー側のスリット１２ｂに当接されることによって、それ以上の挿入を阻止することができる。
【００３８】
さらに、本実施例において、図３（ａ）又は(ｂ)に示すように、銃身２において曲げを形成した箇所とチャンバー７（図１（ａ）参照）との間の周壁に空気抜き穴１３を形成した構成にすることも可能である。これは、次のように小径の銃身管５に収納された弾丸Ｂを銃口側から銃身２内に装填するという不正行為を防止するものである。
【００３９】
即ち、図３（ａ）、(ｂ)に示すように、小径の銃身管５の内端部に弾丸Ｂを装填し、この弾丸Ｂの周辺にグリス１４等を塗布することによって仮止めし、この状態で銃身管５を発射用銃身２の銃口から挿入すると、銃身管５の先端がいずれかのスリット１２ａ、１２ｂに当接した状態で停止して、弾丸Ｂが装填された状態となる。この状態で、チャンバー側から圧縮エアーを送給することにより弾丸Ｂを発射すると、弾丸Ｂが小径であって軽量である分、強力なパワーで飛行する。
【００４０】
本実施例は、上記の不正行為がされないように、上記のように銃身２において曲げを形成した箇所とチャンバー４（図１参照）との間の周壁に空気抜き穴１３を形成したものである。この空気抜き穴１３は、図３(ｄ)に示すスリット形の穴１３ａ、図３(ｅ)に示す円形の穴１３ｂ、又は図３(ｆ)に示す長円形の穴１３ｃ等によって形成することができる。また、これらの空気抜き穴１３は、図３(ｄ)に示すスリット形の穴１３ａのように銃身２の上部に設けてもよいし、図３(ｅ)又は(ｆ)に示すように、銃身２の周壁の両側に設けてもよいし、不図示であるが銃身２の周壁の片側に設けてもよい。
【００４１】
いずれにしても、上記のように、他の銃身管５の端部の内部に弾丸Ｂを装填した状態で、銃身２の内部に弾丸Ｂが装填された状態においては、この弾丸Ｂが銃身２の内部を塞いだ状態となるため、チャンバー側から圧縮エアーを噴射しても、この圧縮エアーの大部分が空気抜き穴１３から外方へ放出する。実験によると、約１．５ジュールで発射される弾丸Ｂが、０．３ジュールまで低下したという結果を得た。
【実施例３】
【００４２】
本実施例は、図１（ａ）に示す発射用銃身２のチャンバー７近傍の内周壁に、図４(ａ)又は(ｂ)に示すように、銃身２の内径よりも小径の他の銃身管５を保持する複数の突起８、８…を形成した構成を有する。このような構成により、複数の突起８、８…を有する銃身２の内部に他の銃身管５を収納したとき、他の銃身管５の外周に突起８、８…によりエアー漏れが生じることによって弾丸Ｂの発射威力を減退させることができる。即ち、上記の構成によって、複数の突起８、８…を有する銃身２と、その銃身に挿入した他の銃身管５との間に、突起８だけのクリアランス９が生じ、このクリアランス９からエアー漏れが生じ、弾丸Ｂの発射威力を減退させるため、そのような改造には実効性がないということになる。
【実施例４】
【００４３】
上記の実施例１、２の構成においては、銃身２の途中にて銃身２の軸芯に偏心を生じさせる曲げ３が形成され、また、この銃身２にチャンバー側の曲げ３から銃口側に向けて直状な銃身に修正する曲げが形成された場合、銃身２の先端の位置が、図１（ａ）に示す銃口４に合致しなくなり、銃口４の位置を変更する必要が生じる。
【００４４】
本実施例は、このような銃口４の位置を変更することなく、図１（ａ）のエアガン１に形成されている銃口４をそのままの位置で使用できるようにしたものである。そのために、本実施例の構成は、図５に示すように、銃身２の途中にて銃身２の軸芯に偏心を生じさせる第１の曲げ３ｃが形成され、さらにこの銃身２の曲げ３ｃを元の軸芯に復帰させる第２の曲げ３ｄが形成されたものとしている。このような構成により、チャンバー側の銃身２の軸芯Ｃ３と銃口側の銃身２の軸芯Ｃ４とが一致し、図１（ａ）における本来の銃口４の位置をそのままの状態で使用することが可能となる。
【実施例５】
【００４５】
この実施例のエアガン１の発射用銃身２は、実施例４の発射用銃身をさらに改良したものであり、図６（ａ）又は(ｂ)に示すように、銃身２の途中には実施例４と同様に、銃身２の途中にて銃身２の軸芯に偏心を生じさせる第１の曲げ３ｃが形成され、さらにこの銃身２の曲げ３ｃを元の軸芯に復帰させる第２の曲げ３ｄが形成されたことにより、曲げ３の全体が下側に凸形状のものとされ、これに加えて、チャンバー側の曲げ３ｃを形成した箇所にスリット１２ａ、１２ｂを形成したものである。このスリット１２ａ、１２ｂは、本実施例においては離間した２箇所に形成されているが、これに限定される必要はなく、１箇所又は２箇所以上のスリットとしてもよい。また、いずれのスリット１２ａ、１２ｂも共通の形状としてある。そのうちの一つを図示すると、図６(ｃ)に示すように、銃身２の下部に所定深さの切り込みによるスリット１２ａ（１２ｂ）を形成するとよい。
【００４６】
このような構成により、使用者が不正な改造として、所定内径の銃身２の銃口から他の小径の銃身管５を挿入する場合、図７(ｂ)に示すように、まず、銃身管５の先端が銃口側の銃身の曲げ３ｄの内端部１５に当接して、それ以上の挿入が阻止される。
【００４７】
また、図７(ｃ)に示すように、銃身２の銃口から、図７(ｂ)に示すよりもさらに小径の銃身管５を挿入した場合、銃身管５の先端が曲げ３の内端部１５で停止されずに越したとしても、銃口側のスリット１２ａに当接され、それ以上の挿入が阻止される。
【００４８】
さらに、図７(ｄ)に示すように、銃身２の銃口から、図７(ｃ)に示すよりもさらに小径の銃身管５を挿入した場合、銃身管５の先端が銃口側のスリット１２ａに当接されずに越したとしても、チャンバー側のスリット１２ｂに当接され、それ以上の挿入が阻止される。
【００４９】
さらに、本実施例においては、図６（ａ）、(ｂ)、(ｄ)、(ｅ)、(ｆ)に示すように、上記の実施例２で説明したと同様に、銃身２において第１の曲げ３ｃを形成した箇所とチャンバー（図１（ａ）参照）との間の周壁に空気抜き穴１３を形成した構成にすることも可能である。この空気抜き穴１３は、図６(ｄ)に示すスリット形の穴１３ａ、図６(ｅ)に示す円形の穴、又は図６(ｅ)に示す長円形の穴１３ｃ等によって形成することができる。また、これらの空気抜き穴１３は、図６(ｄ)に示すスリット形の穴１３ａのように銃身２の上部に設けてもよいし、図６(ｅ)又は(ｆ)に示すように、銃身２の周壁の両側に設けてもよいし、不図示であるが銃身２の周壁の片側に設けてもよい。
【００５０】
いずれにしても、図７(ｂ)〜(ｄ)に示すように、銃身管５の内端部に弾丸Ｂを装填した状態で、銃身２の内部に弾丸Ｂが装填された状態においては、この弾丸Ｂが銃身２の内部を塞いだ状態となるため、チャンバー側から噴出された圧縮エアーの大部分が空気抜き穴１３（１３ｃ）から外方へ放出される結果、弾丸Ｂの威力を大幅に減退することとなる。
【産業上の利用可能性】
【００５１】
本発明のエアガンの発射用銃身は、玩具用エアガンの発射用銃身に装填する所定の弾丸径よりも小径の弾丸をパワーアップした状態で発射させることができないようにして、玩具用エアガンの安全を確保するようにしたエアガンの発射用銃身として利用することができる。
【図面の簡単な説明】
【００５２】
【図１】(ａ)は本発明を適用した実施例１におけるエアガンの銃身の周囲を示す断面図であり、(ｂ)はその銃身のみを図示した断面図である。
【図２】(ａ)は本発明を適用した実施例１におけるエアガンの銃身における曲げ部分のみを図示した部分断面図であり、(ｂ)は銃身を通過する弾丸にバックスピンが生じることを説明するための部分断面図である。
【図３】(ａ)〜(ｆ)は本発明の実施例２に関する図面であり、（ａ）及び(ｂ)は発射用銃身に他の小径の銃身管を挿入した状況を示す部分断面図であり、(ｃ)はスリットを示す断面図であり、(ｄ)〜(ｆ)は空気抜き穴を示す部分断面図である。
【図４】(ａ)は本発明の実施例３におけるエアガンの銃身の断面図であり、(ｂ)はその銃身に他の小径の銃身管を挿入した状態を示す断面図である。
【図５】本発明の実施例４におけるエアガンの銃身の断面図である。
【図６】(ａ)〜(ｆ)は本発明の実施例５に係る図面であり、（ａ）は銃身の外観図であり、(ｂ)は銃身の従断面図であり、(ｃ)はスリットを示す断面図であり、(ｄ)〜(ｆ)は空気抜き穴を示す部分断面図である。
【図７】（ａ）は本発明の実施例５に関する断面図であり、(ｂ)〜(ｄ)は銃身に他の小径の銃身管を挿入した状況を示す断面図である。
【図８】従来の銃身にそれよりも小径の銃身管を挿入している状況を示す断面図である。
【符号の説明】
【００５３】
１  エアガン
２  銃身（発射用銃身）
３  曲げ
３ａ  チャンバー側の曲げ
３ｂ  銃口側の曲げ
３ｃ  第１の曲げ
３ｄ  第２の曲げ
４  銃口
５  銃身管
６  当接部
７  チャンバー
８  突起
９  クリアランス
１０  外部の銃身
１１  接触部
１２ａ、１２ｂ  スリット
１３ａ、１３ｂ  空気抜き穴
１４  グリス
１５  曲げの内端部
Ｂ  弾丸
Ｃ１  チャンバー側の直状をなす銃身の軸芯
Ｃ２  銃口側の直状をなす銃身の軸芯
Ｃ３  チャンバー側の銃身の軸芯
Ｃ４  銃口側の銃身の軸芯
Ｄ  偏心
Ｌ１  曲げの長さ
Ｌ２  銃口側の直状をなす長さ
【図１】
2008039371.tif 000003
【図２】
2008039371.tif 000004
【図３】
2008039371.tif 000005
【図４】
2008039371.tif 000006
【図５】
2008039371.tif 000007
【図６】
2008039371.tif 000008
【図７】
2008039371.tif 000009
【図８】
2008039371.tif 000010
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
玩具用エアガンの所定内径を有する発射用銃身の途中にて該銃身の軸芯に偏心を生じさせる曲げが形成されてなるエアガンの発射用銃身において、前記銃身に形成された曲げは、該銃身の途中にて該銃身の軸芯に偏心を生じさせる第１の曲げと、この銃身に前記第１の曲げを元の軸芯に復帰させる第２の曲げとからなり、該銃身の銃口から該銃身の内径よりも小径の他の銃身管を挿入したとき、該銃身管が前記曲げをなす銃身の途中の内周壁に当接することによって挿入が阻止されることを特徴とするエアガンの発射用銃身。
【請求項２】
前記発射用銃身におけるチャンバー側の曲げを形成した箇所にスリットを形成し、前記銃身の銃口から該銃身の内径よりも小径の他の銃身管を挿入したとき、該銃身管の先端が前記スリットに当接することによって挿入が阻止されるようにしたことを特徴とする請求項１記載のエアガンの発射用銃身。
【請求項３】
前記発射用銃身におけるチャンバー側の曲げを形成した箇所と前記チャンバーとの間の周壁に空気抜き穴を形成したことを特徴とする請求項１又は２記載のエアガンの発射用銃身。
【手続補正２】
【補正対象書類名】明細書
【補正対象項目名】００１０
【補正方法】変更
【補正の内容】
【００１０】
上記の目的を達成するために、本発明の請求項１のエアガンの発射用銃身は、玩具用エアガンの所定内径を有する発射用銃身の途中にて該銃身の軸芯に偏心を生じさせる曲げが形成されてなるエアガンの発射用銃身において、前記銃身に形成された曲げは、該銃身の途中にて該銃身の軸芯に偏心を生じさせる第１の曲げと、この銃身に前記第１の曲げを元の軸芯に復帰させる第２の曲げとからなり、該銃身の銃口から該銃身の内径よりも小径の他の銃身管を挿入したとき、該銃身管が前記曲げをなす銃身の途中の内周壁に当接することによって挿入が阻止されることを特徴とする。
【手続補正３】
【補正対象書類名】明細書
【補正対象項目名】００１１
【補正方法】変更
【補正の内容】
【００１１】
また、本発明の請求項２のエアガンの発射用銃身は、請求項１において、前記発射用銃身におけるチャンバー側の曲げを形成した箇所にスリットを形成し、前記銃身の銃口から該銃身の内径よりも小径の他の銃身管を挿入したとき、該銃身管の先端が前記スリットに当接することによって挿入が阻止されるようにしたことを特徴とする。
【手続補正４】
【補正対象書類名】明細書
【補正対象項目名】００１２
【補正方法】変更
【補正の内容】
【００１２】
さらに、本発明の請求項３のエアガンの発射用銃身は、請求項１又は２において、前記発射用銃身におけるチャンバー側の曲げを形成した箇所と前記チャンバーとの間の周壁に空気抜き穴を形成したことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】